(57)【特許請求の範囲】
【請求項１】
上外板、後板、底板、前板、上内板および後内板を、それぞれの横折線を介して連設し、前記上外板の左右に左耳片と右耳片を、後板の左右に後側左板と後側右板を、底板の左右にフラップを、前板の左右に前側左板と前側右板をおよび後内板の右に後内側板をそれぞれの縦折線を介して連設してなる筒状縦型紙箱であって、前記後内側板の上部略１／３に横ミシン目と下縁辺左に再封時係止溝を設け、前記後内板に該ミシン目と縦折線とが交差する点を要（かなめ）とする略扇状の案内片を設け、該略扇状の案内片が後板内面に引き出し可能に挿入され、該略扇状の案内片の斜辺の一辺が縦折線を介して後内側板と連設し、他の一辺の頂点に開封時係止爪を設け、前記後側右板の下部略１／４に横ミシン目を施し、該横ミシン目を介して上蓋板とし、さらに前記前側右板の上部右端と前記右耳片の略右半分に、略四角状の振出し口予定部を設けてなることを特徴とする振出し紙箱。
【請求項２】
前記上蓋板にその横ミシン目とそれに後内側板の横ミシン目が同一線上で一致するように後内側板を貼着し、両横ミシン目が、蓋の開閉時のヒンジ線となることを特徴とする請求項１記載の振出し紙箱。
【発明の詳細な説明】
【０００１】
【発明の属する技術分野】
本発明は、タブレット状または粒状菓子など収納し、振出すことのできる紙箱に関するものであり、さらに詳細には、振出し口を覆う蓋がリクローズ性（開封、再封時とも係止する機能）を有する振出し紙箱に関する。
【０００２】
【従来の技術】
従来より、携帯用で粒状のチョコレートや飴等菓子類や栄養剤を収納し、内容物を取り出すときは、片手で簡単に蓋を開け、振り出して取り出す所謂振出し紙箱として知られている。
【０００３】
例えば、実開昭６３−１９９９２８号公報や実開昭５８−１９９７６号公報に、携帯用粒状菓子や粒状栄養剤などを収納する振出し可能な紙箱として開示されている。
【０００４】
しかしながら、特に上記のような携帯用粒状菓子や粒状栄養剤などを収納する振出し紙箱においては、携帯中の振動などで蓋が自然に開き、こぼれ落ちる等の危惧があった。すなわち、扇状案内片をスライドさせて開封する蓋が箱本体から抜け出ないようにする開封係止機構があるが、再封したときに蓋が係止されるような機構がないので、携帯中の振動や取扱方で、蓋が自然に開くという問題点があった。
【０００５】
【発明が解決しようとする課題】
本発明は、かかる従来技術の問題点を解決するものであり、その課題とするところは、携帯用の粒状菓子や粒状栄養剤などを収納する振出し可能な紙箱において、再封可能でかつ開封および再封時点で係止される特性（以下リクローズ性という）を有する振出し紙箱を提供することにある。
【０００８】
【課題を解決するための手段】
本発明は、上記課題を達成するために、上外板、後板、底板、前板、上内板および後内板を、それぞれの横折線を介して連設し、前記上外板の左右に左耳片と右耳片を、後板の左右に後側左板と後側右板を、底板の左右にフラップを、前板の左右に前側左板と前側右板をおよび後内板の右に後内側板をそれぞれの縦折線を介して連設してなる筒状縦型紙箱であって、前記後内側板の上部略１／３に横ミシン目と下縁辺左に再封時係止溝を設け、前記後内板に該横ミシン目と縦折線との交差点を要（かなめ）とする略扇状の案内片を設け、該略扇状の案内片が後板内面に引き出し可能に挿入され、該略扇状の案内片の斜辺の一辺が縦折線を介して後内側板と連設し、他の一辺の頂点に開封時係止爪を設け、前記後側右板の下部略１／４に横ミシン目を施し、該横ミシン目を介して上蓋板とし、さらに前記前側右板の上部右端と前記右耳片の略右半分に、略四角状の振出し口予定部を設けてなることを特徴とする振出し紙箱としたものである。
【０００９】
また、本発明は、上記上蓋板にその横ミシン目とそれに後内側板の横ミシン目が同一線上で一致するように後内側板を貼着し、両横ミシン目が、蓋の開閉時のヒンジ線となることを特徴とする上記の振出し紙箱としたものである。
【００１０】
【発明の実施の形態】
以下本発明の実施の形態を図面を用いて詳細に説明する。
まず、請求項１の発明は、図１に示すように、側上板（１４）、後板（１３）、側板（１２）、前板（１１）、側下板（１０）および糊代片（１５）を順次、それぞれの縦折線（ｍ1 ，ｍ2 ，ｍ3 ，ｍ4 ，ｍ5 ）を介して連設し、前記後板（１３）の上下に後上板（２０）と後底板（２１）を、側板（１２）の上下にフラップ（２８）を、前板（１１）の上下に前上板（２２）と前底板（２３）を、側下板（１０）の上下にフラップ（２８）をそれぞれの横折線（ｌ1 ，ｌ2 ，ｌ3 ，ｌ4 ，ｌ5 ，ｌ6 ，ｌ7 ，ｌ8 ）を介して連設してブランクス（２）を、筒状縦型に製函し、図２に示すような筒状縦型紙箱において、前記側上板（１４）の上部をミシン目（ｋ１）を介して先端に把手片（１６）を設けた略四角状の上蓋板（１４ａ）とし、前記側下板（１０）の上部をミシン目（ｋ２）と繋ぎ部（図１に示す（ｎａ））付き切り込み線（図１に示す（ｎ））による略四角状下蓋板（１０ａ）とし、糊代片（１５）の上部に前記下蓋板（１０ａ）と連設する略扇状の案内片（１５ａ）を設け、該略扇状の案内片（１５ａ）の上端に再封時係止爪（３２）と略右端に開封時係止爪（３０）を設け、且つ図３に示すように、略扇状の案内片（１５ａ）が後板（１３）内面に引出し可能に挿入され、前記下蓋板（１０ａ）を糊代として上蓋板（１４ａ）に貼着してなる振出し紙箱（１）である。
【００１１】
さらに、請求項２の発明は、上記上蓋板（１４ａ）の下部に施されたミシン目（ｋ１）と下蓋板（１０ａ）の下部に施されたミシン目（ｋ２）が同一線上なるようにして上蓋板（１４ａ）に下蓋板（１０ａ）が貼着され、両ミシン目（ｋ１、ｋ２）が蓋開閉時の蝶番の基線所謂ヒンジ線となるものである。
【００１２】
上記振出し紙箱（１）の最初の開封は、図３に示すように、把手片（１６）を引っ張り下蓋板（１０ａ）と側下板（１０）を繋いでいる繋ぎ部（ｎａ）をちぎりとって、ミシン目（ｋ１、ｋ２）をヒンジ線として略扇状の案内片（１５ａ）を手前にスライドさせ、いっぱいに開いたところで開封時係止爪（３０）によって蓋が係止される。すなわち開封時に側下板（１０）から下蓋板（１０ａ）が分離された部分が振出し口（Ｆ）となる機構とすることとともに、前記繋ぎ部（ｎａ）の有無が、不正開封の有無の判断基準になる所謂バージン性を有する振出し紙箱（１）となるものである。
【００１３】
また、上記振出し紙箱（１）の再封は、図２に示すように、略扇状の案内片（１５ａ）が後板（１３）内面に沿ってスライドし、略扇状の案内片（１５ａ）にある再封時係止爪（３２）まで挿入され、ここでロックされる。すなわち上記の開封時係止爪（３０）と併せこの再封時係止爪（３２）は、優れたリクローズ性を有する振出し紙箱（１）とすることができる。
【００１４】
また、請求項３の発明の振出し紙箱（１）は、図４に示すように、上外板（１８）、後板（１３）、底板（１７）、前板（１１）、上内板（１９）および後内板（２５）を、それぞれの横折線（ｌ9 ，ｌ10，ｌ11，ｌ12，ｌ13）を介して連設し、前記上外板（１８）の左右に左耳片（１８ｂ）と右耳片（１８ａ）を、後板（１３）の左右に後側左板（１３ｂ）と後側右板（１３ａ）を、底板（１７）の左右にフラップ（２８）を、前板（１１）の左右に前側左板（１１ｂ）と前側右板（１１ａ）をおよび後内板（２５）の右に後内側板（２５ａ）をそれぞれの縦折線（ｍ7 ，ｍ8 ，ｍ9 ，ｍ10，ｍ30）を介して連設してなるブランクス（２）を、図５に示すように、製函してなる筒状縦型紙箱において、図４に示すように、前記後内側板（２５ａ）の上部略１／３に横ミシン目（ｋ３）と下縁辺左に再封時係止溝（３４）を設け、前記後内板（２５）に該ミシン目（ｋ３）と縦折線（ｍ30）との交差点を要（かなめ）とする略扇状の案内片（１５ａ）を設け、図５に示すように、該略扇状の案内片（１５ａ）が後板（１３）内面に引き出し可能に挿入され、さらに図４に示す該略扇状の案内片（１５ａ）の斜辺の一辺が縦折線（ｍ30）を介して後内側板（２５ａ）と連設し、他の一辺の頂点に開封時係止爪（３０）を設け、前記後側右板（１３ａ）の下部略１／４に横ミシン目（ｋ４）を施し、該横ミシン目（ｋ４）を介して上蓋板（１４ａ）とし、さらに前記前側右板（１１ａ）の上部右端と前記右耳片（１８ａ）の略右半分に、略四角状の振出し口予定部（Ｆ１、Ｆ２）を設けてなる振出し紙箱（１）である。
【００１５】
さらに、請求項４の発明は、図５に示すように、前記上蓋板（１４ａ）にその横ミシン目（ｋ４）とそれに後内側板（２５ａ）の横ミシン目（ｋ３）が同一線上で一致するように後内側板（２５ａ）を貼着し、両横ミシン目（ｋ３、ｋ４）が、蓋の開閉時の蝶番の基線、すなわちヒンジ線となる振出し紙箱（１）である。
【００１６】
上記振出し紙箱（１）の開封は、図６に示すように、片手で上蓋板（１４ａ）を押し下げ、ミシン目（ｋ３、ｋ４）をヒンジ線として略扇状の案内片（１５ａ）を手前にスライドさせ、いっぱいに開いたところで開封時係止爪（３０）によって蓋が係止される。
【００１７】
また、上記振出し紙箱（１）の再封は、図５に示すように、略扇状の案内片（１５ａ）が後板（１３）内面に沿ってスライドし、略扇状の案内片（１５ａ）にある再封時係止溝（３４）まで挿入され、ここでロックされる。すなわち上記の開封時係止爪（３０）と併せこの再封時係止溝（３４）は、優れたリクローズ性を有する振出し紙箱（１）とすることができる。
【００１８】
以上本発明の振出し紙箱（１）は、筒状縦型紙箱の側面に粒状菓子等を振り出す振出し口（Ｆ）を有し、その振出し口（Ｆ）を覆う蓋の開封、再封におけるロック機構（リクローズ機構）が略扇状の案内片（１５ａ）に施された開封時係止爪（３０）と再封時係止爪（３２）または再封時係止溝（３４）によることを特徴とするものである。
【００１９】
以上の振出し紙箱（１）用の紙材として、坪量１００ｇ／ｍ2 程度のコートマニラ、ノーコートマニラ、コートボール、ノーコートボール、コートアイボリーなどを用いることができ、箱のサイズ等によって坪量などを適宜選定するものである。
【００２０】
【発明の効果】
本発明は以上の構成であるから、下記に示す如き効果がある。
即ち、略扇状の案内片に開封時係止爪と再封時係止爪または再封時係止溝を施すことによって、振出し紙箱の開封、再封時のロック性（リクローズ性）を付与することができ、粒状内容物の自然に零れ落ちるなどの危惧のない振出し紙箱とすることができる。
【００２１】
また、請求項１の発明の振出し紙箱では、前記側下板の上部をミシン目と繋ぎ部付き切り込み線による略四角状下蓋板とすることによって、箱自体に不正開封防止機能を有する振出し紙箱とすることができる。
【００２２】
従って本発明は、粒状菓子や栄養材などの振出し可能な携帯用紙箱として、優れた実用上の効果を発揮する。
【図面の簡単な説明】
【図１】本発明の振出し紙箱の一実施の形態を示すブランクスの展開図である。
【図２】本発明の振出し紙箱の筒状縦型に製函した一実施の形態を説明する斜視図である。
【図３】本発明の振出し紙箱で、開封した一実施の形態を説明する斜視図である。
【図４】本発明の振出し紙箱の他の一実施の形態を示すブランクスの展開図である。
【図５】本発明の振出し紙箱の筒状縦型に製函した他の一実施の形態を説明する斜視図である。
【図６】本発明の振出し紙箱で、開封した他の一実施の形態を示す斜視図である。
【符号の説明】
１‥‥振出し紙箱
２‥‥ブランクス
１０‥‥側下板
１０ａ‥‥下蓋板
１１‥‥前板
１１ａ‥‥前側右板
１１ｂ‥‥前側左板
１２‥‥側板
１３‥‥後板
１３ａ‥‥後側右板
１３ｂ‥‥後側左板
１４‥‥側上板
１４ａ‥‥上蓋板
１５‥‥糊代片
１５ａ‥‥略扇状の案内片
１６‥‥把手片
１７‥‥底板
１８‥‥上外板
１８ａ‥‥右耳片
１８ｂ‥‥左耳片
１９‥‥上内板
２０‥‥後上板
２１‥‥後底板
２２‥‥前上板
２３‥‥前底板
２５‥‥後内板
２５ａ‥‥後内側板
２８‥‥フラップ
３０‥‥開封時係止爪
３２‥‥再封時係止爪
３４‥‥再封時係止溝
Ｆ‥‥振出し口
Ｆ１，Ｆ２‥‥振出し口予定部
ｌ1 ，ｌ2 ，ｌ3 ，ｌ4 ，ｌ5 ，ｌ6 ，ｌ7 ，ｌ8 ，ｌ9 ，ｌ10，ｌ11，
ｌ12  ，ｌ13‥‥横折線
ｍ1 ，ｍ2 ，ｍ3 ，ｍ4 ，ｍ5 ，ｍ7 ，ｍ8 ，ｍ9 ，ｍ10，ｍ30‥‥縦折線
ｎ‥‥切り込み線
ｎａ‥‥繋ぎ部
【図１】
0004123592.tif 000002
【図２】
0004123592.tif 000003
【図３】
0004123592.tif 000004
【図４】
0004123592.tif 000005
【図５】
0004123592.tif 000006
【図６】
0004123592.tif 000007